【手続補正書】
【提出日】平成25年12月27日(2013.12.27)
【手続補正１】
【補正対象書類名】特許請求の範囲
【補正対象項目名】全文
【補正方法】変更
【補正の内容】
【特許請求の範囲】
【請求項１】
異なる時刻に眼部を撮像して得た複数の３次元断層像のうち少なくとも２つの３次元断層像において対応する層間の厚みの差を示す情報を取得する取得手段と、
前記取得された前記差を示す情報に基づいて不透明度を決定する決定手段と、
前記決定された不透明度を用いて、前記複数の３次元断層像のうち少なくとも１つの３次元断層像を表示手段に表示させる表示制御手段と、
を有することを特徴とする眼科装置。
【請求項２】
前記決定手段は、前記取得された前記差に基づいて、前記複数の３次元断層像の少なくとも１つの３次元断層像における異なる位置で複数の不透明度を決定し、
前記表示制御手段は、前記決定された複数の不透明度を用いて、前記複数の３次元断層像のうち少なくとも１つの３次元断層像を前記表示手段に表示させることを特徴とする請求項１に記載の眼科装置。
【請求項３】
前記決定手段は、層厚が増加した部分と層厚が減少した部分とで異なる色を決定し、
前記表示制御手段は、前記決定された不透明度及び色を用いて、前記複数の３次元断層像のうち少なくとも１つを表示手段に表示させることを特徴とする請求項１または２に記載の眼科装置。
【請求項４】
前記決定手段は、前記厚みの経時変化が大きくなるに従ってより大きな不透明度を決定することを特徴とする請求項１乃至３のいずれか１項に記載の眼科装置。
【請求項５】
前記決定手段は、前記層みの経時変化が小さい部分ほど断層像の強度値を利用し、層厚が増加した部分と減少した部分で異なる色を決定することを特徴とする請求項１乃至４のいずれか１項に記載の眼科装置。
【請求項６】
前記対応する層は神経線維層であることを特徴とする請求項１乃至５のいずれか１項に記載の眼科装置。
【請求項７】
異なる時刻に眼部を撮像して得た複数の断層像のうち少なくとも２つの断層像において対応する層間の厚みの差を示す情報を取得する取得手段と、
前記取得された前記差を示す情報に基づいて色を決定する決定手段と、
前記決定された色を用いて、前記複数の断層像のうち少なくとも１つの断層像を表示手段に表示させる表示制御手段と、
を有することを特徴とする眼科装置。
【請求項８】
前記決定手段は、前記取得された前記差に基づいて、前記複数の断層像の少なくとも１つの断層像における異なる位置で複数の色を決定し、
前記表示制御手段は、前記決定された複数の色を用いて、前記複数の断層像のうち少なくとも１つの断層像を前記表示手段に表示させることを特徴とする請求項７に記載の眼科装置。
【請求項９】
眼部の断層像の位置情報に関連付けられた診断支援情報を取得する取得手段と、
前記断層像を表す強度値と前記診断支援情報とに基づいて、前記断層像を構成するボクセルに色と不透明度とのうち少なくとも一つの値を持たせる処理を行う処理手段と、
前記処理手段により処理して得た画像を表示手段に表示させる表示制御手段と、
を備えることを特徴とする眼科装置。
【請求項１０】
前記診断支援情報は、
異なる時刻に前記眼部を撮像して得た複数の断層像のうち少なくとも２つの断層像において対応する層間の厚みの差を示す情報と、
健常眼の統計情報から得られる標準層厚と前記眼部の層厚との差を示す情報と、
のいずれかであることを特徴とする請求項９に記載の眼科装置。
【請求項１１】
コンピュータを、請求項１乃至１０のいずれか１項に記載の眼科装置の各手段として機能させることを特徴とするプログラム。
【請求項１２】
異なる時刻に眼部を撮像して得た複数の３次元断層像のうち少なくとも２つの３次元断層像において対応する層間の厚みの差を示す情報を取得する工程と、
前記取得された前記差を示す情報に基づいて不透明度を決定する工程と、
前記決定された不透明度を用いて、前記複数の３次元断層像のうち少なくとも１つの３次元断層像を表示手段に表示させる工程と、
を有することを特徴とする眼科装置の制御方法。
【請求項１３】
前記決定する工程において、前記取得された前記差に基づいて、前記複数の３次元断層像の少なくとも１つの３次元断層像における異なる位置で複数の不透明度を決定し、
前記表示させる工程において、前記決定された複数の不透明度を用いて、前記複数の３次元断層像のうち少なくとも１つの３次元断層像を前記表示手段に表示させることを特徴とする請求項１２に記載の眼科装置の制御方法。
【請求項１４】
異なる時刻に眼部を撮像して得た複数の断層像のうち少なくとも２つの断層像において対応する層間の厚みの差を示す情報を取得する工程と、
前記取得された前記差を示す情報に基づいて色を決定する工程と、
前記決定された色を用いて、前記複数の断層像のうち少なくとも１つの断層像を表示手段に表示させる工程と、
を有することを特徴とする眼科装置の制御方法。
【請求項１５】
前記決定する工程において、前記取得された前記差に基づいて、前記複数の断層像の少なくとも１つの断層像における異なる位置で複数の色を決定し、
前記表示させる工程において、前記決定された複数の色を用いて、前記複数の断層像のうち少なくとも１つの断層像を前記表示手段に表示させることを特徴とする請求項１４に記載の眼科装置の制御方法。
【請求項１６】
眼部の断層像の位置情報に関連付けられた診断支援情報を取得する取得工程と、
前記断層像を表す強度値と前記診断支援情報とに基づいて、前記断層像を構成するボクセルに色と不透明度とのうち少なくとも一つの値を持たせる処理を行う処理工程と、
前記処理工程において処理して得た画像を表示手段に表示させる表示制御手段と、
を有することを特徴とする眼科装置の制御方法。
【手続補正２】
【補正対象書類名】明細書
【補正対象項目名】発明の名称
【補正方法】変更
【補正の内容】
【発明の名称】眼科装置、眼科装置の制御方法、及びプログラム
【手続補正３】
【補正対象書類名】明細書
【補正対象項目名】０００１
【補正方法】変更
【補正の内容】
【０００１】
本発明は、眼科診療等に用いられる眼科装置、眼科装置の制御方法、及びプログラムに関する。
【手続補正４】
【補正対象書類名】明細書
【補正対象項目名】０００９
【補正方法】変更
【補正の内容】
【０００９】
上記の課題を解決するための、本発明の一態様による眼科装置は、
異なる時刻に眼部を撮像して得た複数の３次元断層像のうち少なくとも２つの３次元断層像において対応する層間の厚みの差を示す情報を取得する取得手段と、
前記取得された前記差を示す情報に基づいて不透明度を決定する決定手段と、
前記決定された不透明度を用いて、前記複数の３次元断層像のうち少なくとも１つの３次元断層像を表示手段に表示させる表示制御手段と、を有する。
また、上記課題を解決するための、本発明の一態様による眼科装置は、
異なる時刻に眼部を撮像して得た複数の断層像のうち少なくとも２つの断層像において対応する層間の厚みの差を示す情報を取得する取得手段と、
前記取得された前記差を示す情報に基づいて色を決定する決定手段と、
前記決定された色を用いて、前記複数の断層像のうち少なくとも１つの断層像を表示手段に表示させる表示制御手段と、を有する。
また、上記課題を解決するための、本発明の一態様による眼科装置は、
眼部の断層像の位置情報に関連付けられた診断支援情報を取得する取得手段と、
前記断層像を表す強度値と前記診断支援情報とに基づいて、前記断層像を構成するボクセルに色と不透明度とのうち少なくとも一つの値を持たせる処理を行う処理手段と、
前記処理手段により処理して得た画像を表示手段に表示させる表示制御手段と、を備える。
【手続補正５】
【補正対象書類名】明細書
【補正対象項目名】００２３
【補正方法】変更
【補正の内容】
【００２３】
ステップＳ５０３において、処理部１２は、ボリューム画像中の座標ｘの層厚差が一定以上であるかどうかを判定する。
【手続補正６】
【補正対象書類名】明細書
【補正対象項目名】００２４
【補正方法】変更
【補正の内容】
【００２４】
一定以上であると判定された場合、ステップＳ５０４において、図４に示すように各ボリュームデータ或いは断層像のＩＬＭからＲＰＥの画素にその差に応じた色や不透明度を割当て表示する。緑内障のように病気が進行するにつれて層厚が減少する疾病では、例えば、層厚差が大きい部分はより赤く、不透明度をボクセル値で決まる値より大きく設定する。そうすると、層厚が大きく減少した部分ほど赤く不透明に、層厚の減少が小さい部分ほどボリュームデータのボクセル値をそのまま利用した断層像が表示される。また、層厚が時間経過に従い増加した部分には層厚差が大きい部分はより青く、不透明度をより大きく設定する。